(57)【要約】【課題】入賞口に対する釘の左右方向のずれを防止して、釘調整を簡単かつ確実に行うことができる入賞口部材、該入賞口部材を備えた遊技機及び、これらに用いられる釘調整具を提供する。【解決手段】遊技機１は、始動入賞口４１に対する、命釘５の左右方向のずれを防止するために、該入賞口４１の中心位置を示す目印４１ｃを有する入賞口部材４１ｂを備える。また、入賞口部材４１ｂと組み合わせて用いられる板ケージ７は、目印４１ｃに対応する、板体の中心位置を示す対応印７１を備える。【選択図】図１
2008132199.tif 000002
【特許請求の範囲】
【請求項１】
弾球遊技機の遊技盤に取り付けられて入賞口を形成する入賞口部材であって、該入賞口の中心位置を示す目印を備えることを特徴とする入賞口部材。
【請求項２】
請求項１記載の入賞口部材であって、
前記目印は、前記入賞口の中心位置に視認可能に設けられていることを特徴とする入賞口部材。
【請求項３】
請求項１又は２記載の入賞口部材であって、
前記目印は、前記遊技盤上で前記入賞口の上部に配置された釘の間隔を調整するために用いられる板状の釘調整具の一部が係合可能な形状部から成ることを特徴とする入賞口部材。
【請求項４】
請求項１乃至３のいずれか１項記載の入賞口部材を遊技盤上に備えたことを特徴とする弾球遊技機。
【請求項５】
請求項２記載の入賞口部材と組み合わせて用いられる釘調整具であって、
前記釘の間隔を調整する板体から成り、前記目印に対応して、該板体の中心位置を示す対応印を備えることを特徴とする釘調整具。
【請求項６】
請求項３記載の入賞口部材と組み合わせて用いられる釘調整具であって、
前記釘の間隔を調整する板体から成り、前記形状部に係合する突片部を備えることを特徴とする釘調整具。
【発明の詳細な説明】
【技術分野】
【０００１】
本発明は、パチンコ機等の弾球遊技機の遊技盤上に設けられる入賞口を構成する入賞口部材、及び、入賞口上部に設けられた釘を調整する釘調整具に関する。
【背景技術】
【０００２】
従来、パチンコ機の遊技盤上で、入賞口の上部に２本並べて配置された障害釘（以下、命釘という。）の間隔を調整するための冶具として、ブロック体の下面に所定の間隔を離して釘の胴部と同じ幅を有する２条の平行な保持溝を設け、ブロック体の前面に握持部材を一体に設けた釘間調整具が知られている（特許文献１参照）。
【０００３】
かかる釘間調整具によれば、各保持溝を命釘の根元に嵌入し、握持部材を手前に引いてブロック体を命釘の頭部まで移動させることにより、命釘を所定の間隔をもって平行に調整する。
【特許文献１】特開平１０−８０５３４号公報
【発明の開示】
【発明が解決しようとする課題】
【０００４】
しかしながら、このような釘間調整具では、命釘間の間隔を調整することができても、入賞口との関係で、入賞口に対する一対の命釘の左右方向のずれを確認して修正することは困難である。特に、釘の調整は、１ｍｍより小さい単位で釘の配置を調整させる必要があるため、一対の命釘を左右方向にずれのないものとするためには、多くの経験を積んで釘師としての技能及び技量を獲得する必要がある。
【０００５】
そこで、本発明は、入賞口に対する釘の左右方向のずれを防止して釘調整を簡単かつ確実の行うことができる入賞口部材と、該入賞口部材を備えた遊技機、及びこれらに用いられる釘調整具を提供することを目的とする。
【課題を解決するための手段】
【０００６】
本発明は、弾球遊技機の遊技盤に取り付けられて入賞口を形成する入賞口部材であって、該入賞口の中心位置を示す目印を備えることを特徴とする。
【０００７】
かかる本発明の入賞口部材によれば、入賞口の中心位置を示す目印が設けられていることから、当該目印を頼りに、入賞口に対する釘の左右方向のずれを確認して修正することができ、釘調整についての多くの経験を必要とせず、釘の左右方向のずれを防止して簡単かつ確実に釘調整することができる。
【０００８】
前記目印は、前記入賞口の中心位置に視認可能に設けられていることが好ましい。これにより、釘調整を行う釘師は、入賞口の中心位置を視覚的に確認して、入賞口に対する釘の左右のずれを確認して調整を行うことができる。
【０００９】
また、前記目印は、前記遊技盤上で前記入賞口の上部に配置された釘の間隔を調整するために用いられる板状の釘調整具の一部が係合可能な形状部であってもよい。これより、釘調整を行う釘師は、釘調整具の一部を形状部に係合させることで、該釘調整具を入賞口の中心位置に合わせることができ、入賞口に対する釘の左右のずれを確認して釘調整を行うことができる。
【００１０】
次に、本発明によれば、前記入賞口部材を遊技盤上に備えた弾球遊技機が提供される。かかる遊技機の入賞口部材には、その中心位置を示す目印が設けられていることから、当該目印を頼りに、入賞口に対する釘の左右方向のずれを調整することができ、釘の左右方向のずれのない遊技機を提供することができる。
【００１１】
更に、本発明によれば、前記入賞口部材と組み合わせて用いられる釘調整具であって、
前記釘の間隔を調整する板体から成り、前記目印に対応して、該板体の中心位置を示す対応印を備える釘調整具が提供される。かかる釘調整具によれば、対応印を前記入賞口部材の目印に合わせることで、当該釘調整具を入賞口の中心位置に一致させることができ、当該釘調整具を用いて、入賞口に対する釘の左右方向のずれを簡単かつ確実に防止して、釘調整を行うことができる。
【００１２】
また、本発明の釘調整具は、前記入賞口部材と組み合わせて用いられる釘調整具であって、前記釘の間隔を調整する板体から成り、前記形状部に係合する突片部を備えることが好ましい。かかる釘調整具によれば、突片部を前記入賞口部材の形状部に係合させることで、当該釘調整具の中心を入賞口の中心位置に合わせることができ、当該釘調整具を用いて、入賞口に対する釘の左右方向のずれを簡単かつ確実に防止して、釘調整することができる。
【発明を実施するための最良の形態】
【００１３】
図１に示すように、第１実施形態のパチンコ遊技機１は、前面に遊技盤２が配置され、その遊技盤２上に遊技領域が構成されている。遊技盤２のほぼ中央には、特別図柄の変動表示等による各種の演出を表示する液晶表示装置３が配置されている。
【００１４】
遊技盤２の下側には、入賞口４が配置されており、入賞口４は、上部の始動入賞口４１と下部の可変入賞装置（普通電動役物）４２を備える。始動入賞口４１と液晶表示装置３との間には、遊技球の始動入賞口へ入賞を左右する一対の命釘５が設けられている。また、可変入賞装置４２の下方には、遊技球が入賞できない状態と複数個入賞可能な状態とに変換可能な大入賞口（所謂アタッカ）６が設けられている。
【００１５】
始動入賞口４１は、遊技盤２を貫通して形成された通路４１ａの盤表面側開口部に入賞口部材４１ｂを配置することにより構成される。入賞口部材４１ｂは、上面が開放されたポケット状に形成され、その前側面には、前面の中央位置には、入賞口の中心位置を示す目印４１ｃが付されている。目印４１ｃは、入賞口部材４１ｂにプリントされてもよいが、入賞口部材４１ｂを形成する際に凹部として成形してもよい。
【００１６】
始動入賞口４１は、該入賞口４１に遊技球が入賞（始動入賞）すると大当り判定用乱数が抽出され、その値が内部記憶装置（ＲＡＭ）の所定領域に格納され、この乱数値により「特別図柄抽選」が行われ、液晶表示装置３の画面に特別図柄が表示されて「特別図柄変動遊技」が開始される。この「特別図柄抽選」では、ＲＡＭに記憶された乱数値が予め設定された値である場合に「大当り」となり、「特別図柄変動遊技」に引き続いて「大当り遊技」が行われる。この「大当り遊技」では、大入賞口６を構成する扉が、所定時間（例えば３０秒）又は所定の入賞遊技球数（例えば１０個）通過するまで開放されて多数の遊技球が入賞し易くなる（特別遊技状態）。
【００１７】
一方、可変動入賞装置４２は、遊技球が入賞し難い状態と入賞し易いとに変換可能な一対の開閉翼片４２ａを備える。可変動入賞装置４２は、入賞口４の上部の左右位置に配置された通過ゲート（図示省略）を遊技球が通過することにより、判定用乱数が抽出され、この乱数値により「普通図柄抽選」が行われ、「当り」となると、入賞し難い状態から入賞し易い状態に一時的に移行する。
【００１８】
また、入賞口部材４１ｂと組み合わせて用いられる釘調整具としては、一部が屈折した板体からなる板ゲージ７が用いられる。板ゲージ７は、屈折位置に対して短辺側表面に、その幅の中心位置を示す対応印７１が一定の長さに渡って付されている。また、対応印の両側には、一定の間隔で目盛７２が付されている。対応印７１は、従来から一般的に用いられている板ゲージにプリントしたものでもよいが、板ゲージ７を繰り返し使用しても対応印７１が剥がれ落ちることがないように、板ゲージ７の表面を加工して溝部として形成してもよい。
【００１９】
次に、図２を参照して、命釘５の調整方法について説明する。図２（Ａ）は、命釘５を板ゲージ７で調整する場合を示す正面図であり、図２（Ｂ）は、その側断面図である。
【００２０】
まず、釘調整を行う釘師は、命釘５の頭部をそれぞれ金槌等で左右方向に叩いて、一対の命釘５，５間の間隔を広げたり、狭めたりする。また、命釘５の頭部をそれぞれ金槌等で上下方向へ叩いて傾斜角を変化させる。
【００２１】
次いで、釘師は、図２（Ａ）に示すように、所定の幅の板ゲージ７の短辺側を入賞口４の上方から一対の命釘５に挟んで、その誤差幅を見て、所望の釘間隔に調整できたか否かを確認する。このとき、板ゲージ７の対応印７１を入賞口部材４１ｂの目印４１ｃに合わせることで、入賞口４に対する命釘５の左右方向のずれを確認することができる。そして、誤差幅に基づいて、命釘５の頭部を叩いて釘を再調整し、再び、命釘の間隔及びその左右方向のずれを確認することを繰り返すことで、命釘５の左右方向のずれを防止して簡単かつ確実に釘調整することができる。
【００２２】
また、板ゲージ７の対応印７１を入賞口部材４１ｂの目印４１ｃに合わせ、板ゲージ７の端部を入賞口部材４１ｂに接触させた状態で、左右の命釘５，５の目盛７２を読むことで、左右の命釘５，５の上下方向のずれを確認することができる。これにより、命釘５の上下方向のずれを防止して釘調整することができる。さらに、図２（Ｂ）に示すように、命釘５の頭部近傍での目盛７２の値と、根元位置での目盛７２の値とを比較することで、命釘が、上下方向のどの程度傾いているかも確認して、釘調整を行うことができる。
【００２３】
次に、図３を参照して、第２実施形態について説明する。
【００２４】
第２実施形態の始動入賞口４１は、入賞口部材４１ｂの前側面の上端部に、板ゲージの一部が係合する形状部としての突起部４１ｄが設けられている。突起部４１ｄは、入賞口４の中心位置を示すように、前側面の前方及び上方に突出して設けられている。
【００２５】
また、突起部４１ｄを有する入賞口部材４１ｂと組み合わせて用いられる釘調整具としては、板ゲージ７の短辺側の端部に、先端が凹状になった突片部７３を延設したものが用いられる。突片部７３は、板ゲージ７の端部中心位置から延設されており、その凹状の先端が入賞口部材４１ｂの突起部４１ｄに係合するようになっている。
【００２６】
次いで、第２実施形態の命釘５の調整方法について説明する。
【００２７】
まず、釘師は、上述の第１実施形態と同様、命釘５の頭部をそれぞれ金槌等で左右方向及び上下方向に叩いて、一対の命釘５，５の位置を調整する。その上で、所定の幅の板ゲージ７の短辺側を入賞口４の上方から一対の命釘５に挟み込むとともに、突片部７３の凹状の先端を、入賞口部材４１ｂの突起部４１ｄに係合させる。これにより、板ゲージ７の中心を入賞口４の中心位置に一致させることができ、命釘５の左右方向のずれを防止して簡単かつ確実に釘調整を行うことができる。
【００２８】
次に、図４を参照して、第３実施形態について説明する。
【００２９】
第３実施形態の始動入賞口４１は、入賞口部材４１ｂの前側面の上端に、ゲージの一部が係合する形状部としての溝部４１ｅが設けられている。溝部４１ｅは、入賞口４の中心位置を示すように、前側面４１ｃの上端を切り欠くように形成されている。
【００３０】
また、溝部４１ｅを有する入賞口部材４１ｂと組み合わせて用いられる釘調整具としては、板ゲージ７の短辺側の端部中央に、先端が入賞口部材４１ｂの溝部４１ｅに係合する突片部７４を延設したものが用いられる。
【００３１】
次いで、この場合の命釘５の調整方法について説明する。釘師は、命釘５を叩いて間隔を調整した後、所定の幅の板ゲージ７の短辺側を入賞口４上方から一対の命釘５に挟み込むともに、突片部７４を入賞口部材４１ｂの溝部４１ｅに係合させる。これにより、上述の実施形態と同様、板ゲージ７の中心を入賞口４の中心位置に一致させることができ、命釘５の左右方向のずれを防止して簡単かつ確実に釘調整することができる。
【００３２】
さらに、この場合、命釘５の調整は板ゲージ７だけでなく、図示しない玉ゲージを用いることもできる。玉ゲージを用いた場合、玉ゲージを支持する支持棒を溝部４１ｅに落ち込ませる。これにより、支持棒が溝部４１ｅの内壁と当接し、支持棒の軸方向が必ず入賞口４の中心を通る。そのため、玉ゲージを用いた場合にも、命釘５の左右方向のずれを防止して簡単かつ確実に釘調整を行うことができる。
【００３３】
最後に、図５を参照して、第２及び第３実施形態の変形例について説明する。
【００３４】
具体的には、第２及び第３実施形態の変形例としては、板ゲージ７に突片部７３又は７４を設ける代わりに、長辺側の端部に切欠部７５を設けるとともに、切欠部７５を有する板ゲージ７と組み合わせて用いられる矯正部材９を備える。
【００３５】
矯正部材９は、板ゲージ７と同様に一部が屈折した板体であって、一端側に設けられた突片部９１と、他端側の板面から垂直に突出した矯正片９２とを備える。突片部９１は、突片部７３（又は突片部７４）と同様に、入賞口部材４１ｂの突起部４１ｄ（又は溝部４１ｅ）に係合する形状となっている。また、矯正片９２は、切欠部７５に嵌まり込む幅を有する板状の形状となっている。さらに、矯正部材９は、幅の異なる複数の板ゲージを軸止めする軸止部７６を貫通するように、板ゲージセット１０に取付けられている。
【００３６】
次いで、この場合の命釘５の調整方法について説明する。
【００３７】
まず、釘師は、命釘５を叩いて間隔を調整した後、板ゲージセットの中から所定の幅の板ゲージ７を選択する。選択した板ケージを除いて残りの板ゲージを、軸止部７６を中心に反転させる。この状態で、軸止部７６を貫通する矯正部材９をスライドさせて、その矯正片９２を選択した板ゲージ７の切欠部７５に嵌め込む。これにより、選択した板ゲージの中心位置に矯正部材９が配置されるとともに、板ゲージの短辺側の端部に矯正部材９の突片部９１がセットされる。
【００３８】
そして、矯正部材９がセットされた板ゲージ７を、入賞口４の上方から一対の命釘５に挟むとともに、突片部９１の先端を入賞口部材４１ｂの突起部４１ｄ（又は溝部４１ｅ）に係合させる。ここれにより、上述の第２及び第３実施形態と同様、板ゲージ７の中心位置を入賞口４の中心位置に一致させることができ、命釘５の左右方向のずれを防止して簡単かつ確実に釘調整することができる。
【００３９】
尚、本実施形態において、図示の例では、入賞口部材４１ｂの上部の命釘５の調整について説明したが、本発明は、これに限定されるものではなく、他の釘の調整に適用してもよい。
【図面の簡単な説明】
【００４０】
【図１】本実施形態の遊技機、入賞口部材および釘調整具の斜視図。
【図２】本実施形態における釘調整の様子を示す説明図。
【図３】他の実施形態の入賞口部材および釘調整具の斜視図。
【図４】更に別の実施形態の入賞口部材および釘調整具の斜視図。
【図５】図３及び図４に示す実施形態の変形例を示す斜視図。
【符号の説明】
【００４１】
１…遊技機、２…遊技盤、３…液晶表示装置、４…入賞口、５…命釘、６…大入賞口、７…板ゲージ（釘調整具）、９…矯正部材、４１…始動入賞口、４１ｂ…入賞口部材、ｃ…目印、４１ｄ…突起部（形状部）、４１ｅ…溝部（形状部）、７１…対応印、７２…目盛、７３，７４…突片部、７５…切欠部、９１…突片部、９２…矯正片。
【図１】
2008132199.tif 000003
【図２】
2008132199.tif 000004
【図３】
2008132199.tif 000005
【図４】
2008132199.tif 000006
【図５】
2008132199.tif 000007